(57)【要約】【課題】録画予約状態にて表示可能な案内画面と操作可能な操作内容とを通常状態と異ならせると共に、予約を対話的に解除可能とする。【解決手段】録画予約対象の放送番組と録画装置とを録画予約情報６ｃと録画関連設定情報６ｄとにそれぞれ登録した予約状態にある場合、該録画装置に対する通常の操作を一切禁止する表示にし、かつ、リモコン１６操作によりＯＳＤ表示装置９にて放送番組に重畳させて表示される操作用案内画面（例えば番組情報又はＥＰＧ情報）に、更に予約を解除する予約中止ボタンを付加表示させ、リモコン１６操作により該予約中止ボタンを対話的に操作した際にのみ予約を解除する。また、録画装置が案内画面を重畳した状態の放送番組を録画する録画出力装置１１の場合、予約状態では案内画面を表示する操作を禁止する。案内画面を重畳しない状態の放送番組を録画する外部機器２０の場合、予約状態でも案内画面を表示する操作を許可する。【選択図】　　　　図１
2004048495.tif 000002
【特許請求の範囲】
【請求項１】
受信した放送番組の中から選局された放送番組の画像情報をテレビ画面に画面表示させる放送受信装置において、受信した前記放送番組を録画する録画手段と、リモコン又は当該放送受信装置本体の操作ボタンによる利用者からの指示に従い、指示された案内画面を放送番組の画像情報に重畳させてテレビ画面に画面表示させる画面表示手段と、画面表示された該案内画面に対して対話的になされる利用者からの操作に基づいて指示された処理を実行するための演算処理手段と、前記画面表示手段と前記演算処理手段とを用いて、前記録画手段へ録画させる放送番組の録画予約を登録することができる録画予約登録手段と、現在時刻を計数する時刻計数手段と、前記録画予約登録手段により録画予約の登録がされた放送番組の放送開始時刻又は放送終了時刻と、前記時刻計数手段が計数する現在時刻とが一致した際に、前記録画手段の電源と、必要に応じて、放送番組の受信処理を司る画像処理部の電源とを自動的にオン又はオフ状態に制御する電源制御手段と、を有し、前記録画予約登録手段により録画予約の登録がされてはいるが、録画開始時刻までには至っていない予約録画準備中状態、あるいは、録画開始時刻に到達して、予約録画動作が実行中とされている予約録画実行中状態にある場合と、前記録画予約登録手段による録画予約登録がなされていない通常視聴状態にある場合とに応じて、前記画面表示手段により画面表示される前記案内画面の表示が異なり、更に、前記予約録画準備中状態あるいは前記予約録画実行中状態においては、予め定められた限定された操作のみを許可することを特徴とする放送受信装置。
【請求項２】
請求項１に記載の放送受信装置において、前記予約録画準備中状態あるいは前記予約録画実行中状態にある場合に、利用者に許容される限定された前記操作として、前記予約録画準備中状態あるいは前記予約録画実行中状態を解除させて、録画予約の登録を中止させることができる操作が含まれていることを特徴とする放送受信装置。
【請求項３】
請求項１又は２に記載の放送受信装置において、前記予約録画準備中状態あるいは前記予約録画実行中状態にある場合に、利用者に許容される限定された前記操作として、現在放送中の放送番組に関する付属情報を示す番組情報を案内画面として画面表示させる操作と、前記予約録画準備中状態あるいは前記予約録画実行中状態においてのみ前記番組情報に付加して表示されている録画予約登録の解除用の予約中止ボタンを操作する対話的な操作とが含まれていることを特徴とする放送受信装置。
【請求項４】
請求項１乃至３のいずれかに記載の放送受信装置において、前記予約録画準備中状態あるいは前記予約録画実行中状態にある場合に、利用者に許容される限定された前記操作として、放送番組の放送時間帯を示す電子番組表を案内画面として画面表示させる操作と、前記予約録画準備中状態あるいは前記予約録画実行中状態においてのみ前記電子番組表に付加して表示されている録画予約登録の解除用の予約中止ボタンを操作する対話的な操作とが含まれていることを特徴とする放送受信装置。
【請求項５】
請求項４に記載の放送受信装置において、前記予約録画実行中状態あるいは前記予約録画準備中状態にある場合であって、現在、予約録画動作の実行中あるいは実行直前にある場合に、利用者に許容される限定された前記操作として、画面表示された前記電子番組表の中から、現在放送中の放送時間帯にある放送番組が新たに選択操作された場合に、現在、予約録画動作の実行中あるいは実行直前にある旨の警告メッセージを出力すると共に、かかる選択操作を無効にするか、あるいは、現在実行中の予約録画動作を中止して、新たに選択された放送番組の視聴を可能なように選局し直すか、を対話的に選択することを可能とする操作が含まれていることを特徴とする放送受信装置。
【請求項６】
請求項４又は５に記載の放送受信装置において、前記予約録画実行中状態あるいは前記予約録画準備中状態にある場合に、利用者に許容される限定された前記操作として、画面表示された前記電子番組表の中から、今後放送予定の放送番組が新たに選択操作された場合、既に録画予約の登録がされている放送番組の放送時間帯と新たに選択された放送番組の放送時間帯との重複関係がチェックされて、両者の放送時間帯が重複関係にあることが検知された際には、既に録画予約の登録がされている前記放送番組の放送時間帯との重複がある旨の警告メッセージを出力すると共に、かかる選択操作を無効にするか、あるいは、既に録画予約の登録がされている前記放送番組の登録を取り消して、新たに選択された放送番組の録画予約を登録し直すか、を対話的に選択することを可能とする操作が含まれていることを特徴とする放送受信装置。
【請求項７】
請求項１乃至６のいずれかに記載の放送受信装置において、前記録画手段が、利用者の操作に応じて生成される前記案内画面を前記画面表示手段により放送番組の画像情報に重畳させて画面表示させる際に、画面表示される該案内画面が重畳された状態の放送番組の画像情報が録画されてしまう録画手段である場合には、前記予約録画実行中状態あるいは前記予約録画準備中状態にある限り、前記案内画面が生成されるごとき利用者の操作を一切禁止することを特徴とする放送受信装置。
【請求項８】
請求項１乃至７のいずれかに記載の放送受信装置において、前記録画手段が、利用者の操作に応じて生成される前記案内画面を前記画面表示手段により放送番組の画像情報に重畳させて画面表示させる際に、画面表示される該案内画面が重畳されない状態にある放送番組の画像情報を録画することができる録画手段である場合には、たとえ、前記予約録画実行中状態あるいは前記予約録画準備中状態にあったとしても、前記案内画面が生成されて、テレビ画面に画面表示されるごとき利用者の操作を許可することを特徴とする放送受信装置。
【請求項９】
請求項１乃至８のいずれかに記載の放送受信装置において、更に、前記録画手段として、複数個の録画手段を備え、前記予約録画実行中状態あるいは前記予約録画準備中状態にあって、前記案内画面を前記画面表示手段により放送番組の画像情報に重畳させて画面表示させる利用者の操作がなされた際に、現在、予約録画動作の実行中あるいは実行直前にある録画手段が、利用者の操作に応じて生成される前記案内画面が重畳された状態の放送番組の画像情報が録画される録画手段であるか否かを自動的に識別することにより、前記案内画面が生成される操作を利用者が行なうことを禁止するか否かを決定することを特徴とする放送受信装置。
【請求項１０】
請求項１乃至９のいずれかに記載の放送受信装置において、更に、外部機器との接続を行なう外部接続インターフェースを備え、前記録画手段として、前記外部接続インターフェースを介して接続することを可能とする外部機器を用いることができることを特徴とする放送受信装置。
【請求項１１】
請求項１０に記載の放送受信装置において、前記外部接続インターフェースが、ＩＥＥＥ１３９４バスを接続する接続インターフェースからなっていることを特徴とする放送受信装置。
【発明の詳細な説明】
【０００１】
【発明の属する技術分野】
本発明は、放送受信装置に関し、例えば、テレビ放送信号を受信するチューナを内蔵したテレビジョン受信機、あるいは、ビデオレコーダのごとき放送受信装置に関する。
特に、利用者の操作に伴って、テレビ画面に表示されるＯＳＤ表示情報（Ｏｎ−Ｓｃｒｅｅｎ　Ｄｉｓｐｌａｙ）の案内画面として、現在放送中の放送番組の付属情報を画面上に表示する「番組情報」あるいは放送番組プログラムを一覧表示する「電子番組表（ＥＰＧ：Ｅｌｅｃｔｒｏｎｉｃ　Ｐｒｏｇｒａｍ　Ｇｕｉｄｅ）」を表示した際の操作性、就中、放送番組の録画予約が登録された状態にある予約録画準備中状態や放送番組の録画動作が実行中の状態にある予約録画実行中状態における操作性を向上させた放送受信装置に関する。
【０００２】
【従来の技術】
近年、テレビ放送番組を受信する放送受信装置においては、利用者がリモコンあるいは放送受信装置本体にある操作ボタンを操作することにより、該操作に対応した案内画面がテレビ画面に表示され、利用者がテレビ画面に表示された案内画面を参照しながら、更に、リモコンあるいは本体にある操作ボタンを対話的に操作して、当該放送受信装置に対して、所望の動作を実行させることが一般的となってきている。
また、近年、デジタル方式のテレビジョン放送にあっては、チャンネル数の飛躍的な増大に対応して、放送局は、放送番組と共に、現在放送中の及び今後放送予定の放送番組の放送時間帯を示す電子番組表（ＥＰＧ：ＥｌｅｃｔｒｏｎｉｃＰｒｏｇｒａｍ　Ｇｕｉｄｅ）や現在放送中の放送番組の付属情報としての番組情報を送信するようになってきている。かかる電子番組表（ＥＰＧ）や番組情報を受信した放送受信装置においては、利用者が該電子番組表（ＥＰＧ）や該番組情報をテレビ画面に表示させながら、リモコン等を用いて対話的に操作して、所望の番組に関する情報を得ることが可能であり、利用者の便宜を図るようにされている。
【０００３】
既に、実用化されている代表的な案内画面表示サービスとしては、現在視聴中即ち放送中の放送番組に関する付属情報をテレビ画面に表示する「番組情報画面」、あるいは、受信したＥＰＧデータに基づいて放送チャンネル単位に時系列的に放送中及び放送予定の放送番組を並べてテレビ画面に表示し、リモコン等を操作することによって、テレビ画面上で対話的に放送番組の選局や録画予約操作を行なうことができる「電子番組表（ＥＰＧ）画面」がある。
また、放送受信装置において、電子番組表（ＥＰＧ）画面を用いて、放送番組の録画予約を行なった場合にあっては、当該放送番組の放送開始時刻が訪れると、自動的に選局が実行され、更に、当該放送受信装置に内蔵された録画装置又は接続されたビデオレコーダなどの外部機器が制御されて、当該放送番組が放送中の間は、自動的に録画動作が実行され、一方、当該放送番組が終了した時点では、録画動作が停止されるという、いわゆる録画予約動作も広く実用に供されている。
【０００４】
しかしながら、従来の放送受信装置における放送番組の録画予約の動作においては、放送番組の録画予約がされて、録画動作の待機中の状態である予約録画準備中状態及び録画予約された放送番組の録画動作が実行中の状態にある予約録画実行中状態にあっては、次の二つの理由から、一般に、リモコンや放送受信装置本体等にある操作ボタンによる操作を一切許さない仕様とされている。
（１）誤操作による前記予約録画準備中状態や前記予約録画実行中状態の誤解除を防止すること。
（２）放送番組の録画予約による録画動作を実行中の状態にあるにも関わらず、利用者の操作に伴ってテレビ画面に表示される番組情報やＥＰＧデータ等の、録画には不要である各種ＯＳＤ表示情報が一緒に録画されてしまうことを防止すること。
【０００５】
例えば、特開平１１−２１５４６０号公報「放送番組受信装置」において開示されている放送番組受信装置にあっては、録画予約による予約録画準備中の状態や予約録画実行中の状態にある場合には、利用者による前述のごとき誤った操作（即ち割込操作）を防止するために、利用者の操作を一切許さない仕様とされている。
即ち、予約録画準備中の状態や予約録画実行中の状態のごとき録画予約の登録状態にある場合には、予め設定されている予約中止のための特別な操作（例えば、電源ボタンと選択決定ボタンとの同時押下操作等）以外には、一切の操作を抑止することとされており、かつ、予約中止のための前記特別な操作に関してもテレビ画面に操作方法を表示させることができない。
【０００６】
従って、録画予約を設定した利用者以外の第三者が、例えば、予約を設定した該利用者からの電話等による録画予約取消しの依頼を受けて、録画予約を中止せんとしても、第三者自身が、予約を中止するための特別な操作方法に関する知識を必要とし、簡単には、録画予約を中止することはできない。
【０００７】
また、通常視聴状態にある場合にあっては画面表示することが可能な、「番組情報」（即ち、放送番組内容，放送時間（終了時間）等、現在視聴中の番組に関する付属情報の表示）や「電子番組表（ＥＰＧ）」（今後の放送番組や現在放送中の裏番組、あるいは、録画予約済みの放送番組に関する放送時間帯情報の表示）について、予約録画準備中又は予約録画実行中の状態にされている場合には、テレビ画面に画面表示させることが一切不可能であり、利用者にとって、放送受信装置の機能を充分に活用することができなくなってしまう。
【０００８】
また、特開平１０−１９８５４５号公報「表示制御装置及び表示制御方法」においては、画面上に表示された操作用のボタン様ＧＵＩ（操作ボタン）について、操作可能なボタンと操作不可能なボタンとを区別して、異なる表示とする発明が提示されている。しかしながら、該公報は、パソコンなどの上で動作するアプリケーションの状況変化に応じて、操作用のボタン様ＧＵＩ（操作ボタン）に変化を与えることによって、利用者の誤操作を未然に防止することに主眼がある。しかし、かかるアプリケーションの例としては、動画像鑑賞用のアプリケーションについての表示例は示されているが、動画像の予約録画動作に関するアプリケーションについては一切触れられていない。
【０００９】
また、特開２０００−６９３８０号公報「文字放送受信装置」には、電子番組表（ＥＰＧ）を画面表示する際に、録画予約の放送番組の放送開始時刻及び放送終了時刻と現在時刻とを比較照合することにより、録画予約の放送番組の状態として、「録画予約済み」、「録画中」、「録画済み」のいずれの予約状態にあるかを表示する放送番組の表示方法に関する発明が提示されている。即ち、録画予約された放送番組の予約状態の移行に伴って、電子番組表（ＥＰＧ）上に表示される放送番組の予約状態の表示を変更する発明であるが、録画予約の登録状態にある場合の放送受信装置に対する利用者の誤操作を防止することまでは考慮されていない。
【００１０】
【発明が解決しようとする課題】
以上に示すごとく、従来の放送受信装置において、一旦、放送番組の録画予約を登録した予約録画準備中状態や予約録画実行中状態のごとき録画予約の登録状態にある場合には、予め設定されている予約中断のための特別な操作以外には、一切の操作が禁止された状態にし、かつ、予約中断のための前記特別な操作に関して案内画面として表示させることもできないので、録画予約を中止せんとする場合であっても、かかる操作方法を把握していない通常の視聴者にとっては、別途、操作マニュアルを参照しない限り、簡単には中止の操作をすることが不可能である。
【００１１】
また、予約録画準備中又は予約録画実行中の状態にされている場合には、通常視聴状態にある場合に画面表示することが可能な、「番組情報」や「電子番組表（ＥＰＧ）」についても、テレビ画面に画面表示させることが一切不可能であり、例えば、異なる放送番組の録画を更に予約したい場合であっても、「電子番組表（ＥＰＧ）」を画面表示することができなく、利用者により、放送受信装置の機能を充分に活用することができない。
【００１２】
また、従来技術においては、アプリケーションの動作状態に基づいて、各操作用のボタン様ＧＵＩ（操作ボタン）毎に操作可能／不可能を識別可能な表示とする点のみが開示されている例があるが、放送番組の録画予約に関する各種動作状態に応じて、如何なる操作用のボタン様ＧＵＩ（操作ボタン）を操作可能とし、また、操作不可能とすべきかに関しては全く提示されていない。
【００１３】
更に、電子番組表（ＥＰＧ）の放送番組の表示方法として、録画予約された放送番組の録画予約状態を「録画予約済み」，「録画中」，「録画済み」のいずれかが識別可能なように表示する別の例も示されているが、かかる表示は、電子番組表（ＥＰＧ）を表示する際に限られているものであり、また、録画予約の登録状態にある場合の放送受信装置に対する操作の制限については、一切考慮されておらず、録画予約の登録状態における利用者の誤操作を防止することができない。
【００１４】
一方、昨今の放送受信装置においては、例えば、テレビジョン受信機として、放送番組を視聴するためにテレビ画面に画像を出力する出力端以外に、放送番組の録画のために、画像を直接出力する録画専用の出力端を有する装置が登場してきている。かかる録画専用の出力端を有するテレビジョン受信機としては、更に、デジタル信号を高速転送することが可能なＩＥＥＥ１３９４バスを用いて外部機器として用意されたデジタル録画装置（ビデオテープやビデオディスクなど）に放送番組のデジタル信号形式の放送ストリームを直接転送することができるＩＥＥＥ１３９４インターフェース端子を有するデジタルテレビジョン受信機も登場してきている。
【００１５】
而して、放送番組の録画予約の登録状態にある場合であって、例えば、更に他の放送番組の録画予約を登録するために、ＥＰＧデータや番組情報等を含む各種情報をテレビ画面にＯＳＤ表示情報（即ち案内画面）として表示させる操作を行なったとしても、テレビ画面に表示された画像情報とは異なる録画専用の画像情報を録画装置に出力することが可能であり、かかる操作に伴って放送番組の画像情報に重畳して表示されるＯＳＤ表示情報（ＥＰＧデータや番組情報等を含む各種情報）まで録画してしまう事態を防ぐことが可能である。
【００１６】
而して、かくのごとく、録画専用の出力端を備えたテレビジョン受信機やデジタル録画機器を接続可能なＩＥＥＥ１３９４バスインターフエースを備えた放送受信装置においては、放送番組の画像情報と重畳させてテレビ画面に出力する番組情報や電子番組表（ＥＰＧ）などに関するＯＳＤ表示情報（案内画面）が、録画されてしまうことは全くない。
従って、予約録画の有無に関係することなく、視聴中のテレビ画面に番組情報や電子番組表に関するＯＳＤ表示情報を表示することも可能である。
【００１７】
本発明は、かかる事情に鑑みてなされたものであり、放送受信装置の動作状態をテレビ画面に画面表示させると共に、放送番組の録画予約が登録された状態に移行している動作状態（即ち、予約録画準備中状態や予約録画実行中状態）にある場合に、誤操作により予約録画準備中状態や予約録画実行中状態が誤解除されてしまうことを防止するために、通常視聴状態において操作することができる操作内容と、予約録画準備中状態や予約録画実行中状態において操作することができる操作内容とに違いを持たせ、予約録画準備中状態や予約録画実行中状態における操作内容としては、テレビ画面に表示した案内画面に対応して対話的に操作することを可能とすると共に、予め設定された限定した操作のみを許容せんとするものである。
【００１８】
また、本発明は、たとえ、予約録画準備中状態や予約録画実行中状態にあったとしても、例えば、放送番組の録画予約の追加登録を容易に行なうことを可能とするために、ＥＰＧデータ（電子番組表）や番組情報（放送中の放送番組に関する付属情報）を、操作に関するＯＳＤ表示情報（案内画面）として画面表示することを可能とすると共に、かかるＯＳＤ表示情報を画面表示する操作がなされた場合においても、録画対象の画像情報としては該ＯＳＤ表示情報が録画されないようにせんとするものである。
【００１９】
更には、本発明は、録画動作を行なう録画装置の種別を自動的に識別することにより、操作に関する前記ＯＳＤ表示情報（案内画面）を放送番組の画像情報と重畳させて録画されてしまうか否かを識別し、前記ＯＳＤ表示情報が重畳されない状態の放送番組の画像情報を録画することが可能な録画装置であった場合には、テレビ画面に前記ＯＳＤ表示情報を放送番組の画像情報に重畳させて画面表示することが可能な状態にあるとして、かかる操作に関する前記ＯＳＤ表示情報をテレビ画面に表示させることにより、利用者が対話的に操作を行なう機会を提供せんとするものである。
【００２０】
【課題を解決するための手段】
第１の技術手段は、受信した放送番組の中から選局された放送番組の画像情報をテレビ画面に画面表示させる放送受信装置において、受信した前記放送番組を録画する録画手段と、リモコン又は当該放送受信装置本体の操作ボタンによる利用者からの指示に従い、指示された案内画面を放送番組の画像情報に重畳させてテレビ画面に画面表示させる画面表示手段と、画面表示された該案内画面に対して対話的になされる利用者からの操作に基づいて指示された処理を実行するための演算処理手段と、前記画面表示手段と前記演算処理手段とを用いて、前記録画手段へ録画させる放送番組の録画予約を登録することができる録画予約登録手段と、現在時刻を計数する時刻計数手段と、前記録画予約登録手段により録画予約の登録がされた放送番組の放送開始時刻又は放送終了時刻と、前記時刻計数手段が計数する現在時刻とが一致した際に、前記録画手段の電源と、必要に応じて、放送番組の受信処理を司る画像処理部の電源とを自動的にオン又はオフ状態に制御する電源制御手段と、を有し、前記録画予約登録手段により録画予約の登録がされてはいるが、録画開始時刻までには至っていない予約録画準備中状態、あるいは、録画開始時刻に到達して、予約録画動作が実行中とされている予約録画実行中状態にある場合と、前記録画予約登録手段による録画予約登録がなされていない通常視聴状態にある場合とに応じて、前記画面表示手段により画面表示される前記案内画面の表示が異なり、更に、前記予約録画準備中状態あるいは前記予約録画実行中状態においては、予め定められた限定された操作のみを許可する放送受信装置とすることを特徴とするものである。
【００２１】
第２の技術手段は、前記第１の技術手段に記載の放送受信装置において、前記予約録画準備中状態あるいは前記予約録画実行中状態にある場合に、利用者に許容される限定された前記操作として、前記予約録画準備中状態あるいは前記予約録画実行中状態を解除させて、録画予約の登録を中止させることができる操作が含まれている放送受信装置とすることを特徴とするものである。
【００２２】
第３の技術手段は、前記第１又は第２の技術手段に記載の放送受信装置において、前記予約録画準備中状態あるいは前記予約録画実行中状態にある場合に、利用者に許容される限定された前記操作として、現在放送中の放送番組に関する付属情報を示す番組情報を案内画面として画面表示させる操作と、前記予約録画準備中状態あるいは前記予約録画実行中状態においてのみ前記番組情報に付加して表示されている録画予約登録の解除用の予約中止ボタンを操作する対話的な操作とが含まれている放送受信装置とすることを特徴とするものである。
【００２３】
第４の技術手段は、前記第１乃至第３の技術手段のいずれかに記載の放送受信装置において、前記予約録画準備中状態あるいは前記予約録画実行中状態にある場合に、利用者に許容される限定された前記操作として、放送番組の放送時間帯を示す電子番組表を案内画面として画面表示させる操作と、前記予約録画準備中状態あるいは前記予約録画実行中状態においてのみ前記電子番組表に付加して表示されている録画予約登録の解除用の予約中止ボタンを操作する対話的な操作とが含まれている放送受信装置とすることを特徴とするものである。
【００２４】
第５の技術手段は、前記第４の技術手段に記載の放送受信装置において、前記予約録画実行中状態あるいは前記予約録画準備中状態にある場合であって、現在、予約録画動作の実行中あるいは実行直前にある場合に、利用者に許容される限定された前記操作として、画面表示された前記電子番組表の中から、現在放送中の放送時間帯にある放送番組が新たに選択操作された場合に、現在、予約録画動作の実行中あるいは実行直前にある旨の警告メッセージを出力すると共に、かかる選択操作を無効にするか、あるいは、現在実行中の予約録画動作を中止して、新たに選択された放送番組の視聴を可能なように選局し直すか、を対話的に選択することを可能とする操作が含まれている放送受信装置とすることを特徴とするものである。
【００２５】
第６の技術手段は、前記第４又は第５の技術手段に記載の放送受信装置において、前記予約録画実行中状態あるいは前記予約録画準備中状態にある場合に、利用者に許容される限定された前記操作として、画面表示された前記電子番組表の中から、今後放送予定の放送番組が新たに選択操作された場合、既に録画予約の登録がされている放送番組の放送時間帯と新たに選択された放送番組の放送時間帯との重複関係がチェックされて、両者の放送時間帯が重複関係にあることが検知された際には、既に録画予約の登録がされている前記放送番組の放送時間帯との重複がある旨の警告メッセージを出力すると共に、かかる選択操作を無効にするか、あるいは、既に録画予約の登録がされている前記放送番組の登録を取り消して、新たに選択された放送番組の録画予約を登録し直すか、を対話的に選択することを可能とする操作が含まれている放送受信装置とすることを特徴とするものである。
【００２６】
第７の技術手段は、前記第１乃至第６の技術手段のいずれかに記載の放送受信装置において、前記録画手段が、利用者の操作に応じて生成される前記案内画面を前記画面表示手段により放送番組の画像情報に重畳させて画面表示させる際に、画面表示される該案内画面が重畳された状態の放送番組の画像情報が録画されてしまう録画手段である場合には、前記予約録画実行中状態あるいは前記予約録画準備中状態にある限り、前記案内画面が生成されるごとき利用者の操作を一切禁止する放送受信装置とすることを特徴とするものである。
【００２７】
第８の技術手段は、前記第１乃至第７の技術手段のいずれかに記載の放送受信装置において、前記録画手段が、利用者の操作に応じて生成される前記案内画面を前記画面表示手段により放送番組の画像情報に重畳させて画面表示させる際に、画面表示される該案内画面が重畳されない状態にある放送番組の画像情報を録画することができる録画手段である場合には、たとえ、前記予約録画実行中状態あるいは前記予約録画準備中状態にあったとしても、前記案内画面が生成されて、テレビ画面に画面表示されるごとき利用者の操作を許可する放送受信装置とすることを特徴とするものである。
【００２８】
第９の技術手段は、前記第１乃至第８の技術手段のいずれかに記載の放送受信装置において、更に、前記録画手段として、複数個の録画手段を備え、前記予約録画実行中状態あるいは前記予約録画準備中状態にあって、前記案内画面を前記画面表示手段により放送番組の画像情報に重畳させて画面表示させる利用者の操作がなされた際に、現在、予約録画動作の実行中あるいは実行直前にある録画手段が、利用者の操作に応じて生成される前記案内画面が重畳された状態の放送番組の画像情報が録画される録画手段であるか否かを自動的に識別することにより、前記案内画面が生成される操作を利用者が行なうことを禁止するか否かを決定する放送受信装置とすることを特徴とするものである。
【００２９】
第１０の技術手段は、前記第１乃至第９の技術手段のいずれかに記載の放送受信装置において、更に、外部機器との接続を行なう外部接続インターフェースを備え、前記録画手段として、前記外部接続インターフェースを介して接続することを可能とする外部機器を用いることができる放送受信装置とすることを特徴とするものである。
【００３０】
第１１の技術手段は、前記第１０の技術手段に記載の放送受信装置において、前記外部接続インターフェースが、ＩＥＥＥ１３９４バスを接続する接続インターフェースからなっている放送受信装置とすることを特徴とするものである。
【００３１】
前述のごとき技術手段を備えた本発明に係る放送受信装置においては、通常視聴中の状態における操作と予約録画準備中状態や予約録画実行中状態における操作とに違いを持たせ、予約録画準備中状態や予約録画実行中状態における操作としては、予め設定されている限定された操作のみを許容することとして、誤操作により予約録画動作を解除してしまう事態を防止することができる。
また、本発明に係る放送受信装置においては、予約録画準備中状態や予約録画実行中状態における操作内容として、テレビ画面に表示される操作に関するＯＳＤ表示情報（案内画面）に基づいて、利用者が対話的に操作を行なうことを可能とすることにより、操作性を更に向上させることを可能としている。
【００３２】
更には、本発明に係る放送受信装置においては、テレビ画面に視聴するために放送番組の画像情報を出力する出力端以外に、録画装置に録画するために放送番組の画像情報を直接出力する専用の出力端を備えることにより、利用者が操作のために必要とするＯＳＤ表示情報（案内画面）を放送番組の画像情報に重畳させてテレビ画面に表示したとしても、かかるＯＳＤ表示情報（案内画面）を録画してしまうがごとき事態を防止することも可能である。
また、高速転送が可能なＩＥＥＥ１３９４バスを用いて接続された録画機器に対して、前記ＯＳＤ表示情報（案内画面）を重畳させる前の放送番組の画像情報をデジタル信号形式の放送ストリームとして直接出力することも可能であり、前記ＯＳＤ表示情報（案内画面）が放送番組の画像情報に重畳されて録画されるような事態を確実に防止することができる。
【００３３】
更に、録画予約が登録されている状態である予約録画実行中状態や予約録画準備中状態においては、放送番組の録画を行なう録画装置の種別を自動的に識別することによって、操作に必要とするＯＳＤ表示情報（案内画面）が重畳された状態で録画装置に録画されないことが確認された場合には、操作に必要とするＯＳＤ表示情報（案内画面）をテレビ画面に表示可能であると判別して、視聴中のテレビ画面上に、操作に必要とするＯＳＤ表示情報（案内画面）を放送番組の画像情報と重畳して画面表示させる操作を許可し、たとえ、かかる操作がされた場合であっても、かかるＯＳＤ表示情報（案内画面）を含む録画がなされてしまう事態を回避することが可能である。
【００３４】
【発明の実施の形態】
以下に、本発明に係る放送受信装置の実施形態の一例について、図面を参照しながら説明する。ここに、本発明に係る放送受信装置としては、テレビ放送信号を受信するチューナを内蔵したテレビジョン受信機、あるいは、ビデオテープレコーダなどテレビ放送信号を受信することが可能な如何なる放送受信装置であっても構わない。
図１は、本発明に係る放送受信装置の一例としてデジタルテレビ受信機の構成例を示す構成図である。
【００３５】
図１に示すデジタルテレビ受信機１００において、アンテナ１から受信されたストリーム（放送信号）の中からチューナ２により選局されたストリーム（放送信号）が、デマルチプレクサ（ＤＥＭＵＸ）３に送られ、デマルチプレクサ（ＤＥＭＵＸ）３において、放送番組のデジタル信号形式の画像・音声情報からなる放送ストリームは、ＭＰＥＧ（Ｍｏｖｉｎｇ　Ｐｉｃｔｕｒｅ　ＥｘｐｅｒｔｓＧｒｏｕｐ）デコーダ４に送出される一方、現在放送中の放送番組に関する付属情報を示す番組情報の表示に必要とする情報及び放送番組の放送時間帯の一覧を示す電子番組表（ＥＰＧ）の作成に必要な情報などが抽出されて、ＣＰＵ７を介して、メモリ（ＤＲＡＭ：Ｄｙｎａｍｉｃ　Ｒａｎｄｏｍ　Ａｃｃｅｓｓ　Ｍｅｍｏｒｙ）６に一時格納される。
【００３６】
更に、不揮発性メモリであるフラッシュメモリ５に格納されているプログラムの動作と相俟って、ＣＰＵ７においては、メモリ（ＤＲＡＭ）６に一時格納された前記情報に基づいて、現在放送中の放送番組に関する番組情報６ａと他の放送チャンネルも含む放送番組の放送時間帯に関する放送番組一覧表であるＥＰＧデータ（電子番組表）６ｂとに組み立てられて、メモリ（ＤＲＡＭ）６に蓄積保存される。
【００３７】
しかる後において、利用者により、操作手段であるリモコン１６上に設けられた番組情報ボタン１６ａ，ＥＰＧボタン１６ｂ、あるいは、当該デジタルテレビ受信機１００の本体上に備えられた同種の操作ボタンが操作されることにより、ＣＰＵ７は、フラッシュメモリ５にあるプログラムの動作により、メモリ（ＤＲＡＭ）６に蓄積保存されている該当する情報を読み出す。
【００３８】
例えば、リモコン１６上の番組情報ボタン１６ａが操作された場合には、受光部１４を介して、番組情報ボタン１６ａが操作された旨を示す情報が、ＣＰＵ７に通知され、フラッシュメモリ５に格納されているプログラムの動作に基づいて、該ＣＰＵ７により、メモリ（ＤＲＡＭ）６に蓄積保存されている番組情報６ａが読み出され、あるいは、リモコン１６上のＥＰＧボタン１６ｂが操作された場合には、受光部１４を介して、ＥＰＧボタン１６ｂが操作された旨を示す情報が、ＣＰＵ７に通知され、該ＣＰＵ７により、メモリ（ＤＲＡＭ）６に蓄積保存されているＥＰＧデータ６ｂが、読み出されて、モニタ装置１０上のテレビ画面に表示可能なビットマップデータに変換された後に、それぞれ、番組情報画像あるいはＥＰＧデータ画像として、画像メモリ（ＶＲＡＭ：Ｖｉｄｅｏ　Ｒａｎｄｏｍ　Ａｃｃｅｓｓ　Ｍｅｍｏｒｙ）８に書き込まれる。
【００３９】
なお、当該デジタルテレビ受信機１００の本体上に備えられている操作ボタンの操作によっても、かかるリモコン１６の操作と全く同様の情報をＣＰＵ７に対して通知することができる。以下の説明に登場するその他の操作ボタンにおいても、一々説明しないが、リモコン１６における操作の場合と全く同じ情報をＣＰＵ７に対して通知することができる操作ボタンが当該デジタルテレビ受信機１００の本体上にも備えられている。
【００４０】
ここで、表示手段であるＯＳＤ（Ｏｎ−Ｓｃｒｅｅｎ　Ｄｉｓｐｌａｙ）表示装置９において、ＭＰＥＧデコーダ４によりデコードされた放送ストリームの画像信号に対して、画像メモリ（ＶＲＡＭ）８に書き込まれているビットマップ形式の前記番組情報画像あるいは前記ＥＰＧデータ画像などのＯＳＤ表示情報（画像情報：案内画面）を重畳させて、両者の画像合成がなされた後、モニタ装置１０上のテレビ画面に画面表示される。
即ち、ＣＰＵ７，画像メモリ（ＶＲＡＭ）８及びＯＳＤ表示装置９は、リモコン１６又は当該デジタルテレビ受信機１００の本体の操作ボタンによる利用者からの指示に従い、指示された案内画面を、ＯＳＤ表示情報として放送番組の画像情報に重畳させて、モニタ装置１０上のテレビ画面に画面表示させる画面表示手段を提供している。
【００４１】
図１に示すデジタルテレビ受信機１００は、更に、現在時刻を計数する時刻計数装置１３（即ち、時刻計数手段）と放送番組の画像情報（及び音声情報）の受信処理を司る画像処理回路部（チューナ２，デマルチプレクサ（ＤＥＭＵＸ）３，ＭＰＥＧデコーダ４，ＯＳＤ表示装置９，モニタ装置１０などを含む各回路部のいずれかあるいは全ての回路部）や録画出力装置１１に供給する電源のオン／オフを制御する電源制御装置１２（即ち、電源制御手段）とを備え、時刻計数装置１３と電源制御装置１２とは共にＣＰＵ７に直接接続されている。而して、フラッシュメモリ５にあるプログラムの動作により、ＣＰＵ７は、時刻計数装置１３から現在時刻を取得して、予めメモリ（ＤＲＡＭ）６に設定登録されている時刻（例えば、予約録画用の放送番組の放送開始時刻や放送終了時刻など）と比較して、条件が満たされていると判断した場合には、電源制御装置１２に対して制御信号を送出することにより、録画出力装置１１や、必要に応じて、放送番組の画像情報（及び音声情報）の受信処理を司る前記画像処理回路部に供給する電源をオン／オフ制御している。
【００４２】
また、本発明に係る放送受信装置においては、更に、外部機器との接続を行なう外部接続インターフェースを備えており、放送番組の画像情報（及び音声情報）を録画する録画装置として、内蔵の録画出力装置１１のみならず、前記外部接続インターフェースを介して接続することができる外部機器を用いることも可能としている。図１に示すデジタルテレビ受信機１００は、かかる外部接続インターフェースとして、デマルチプレクサ（ＤＥＭＵＸ）３と外部機器（即ち、画像・音声情報を録画・再生するＡＶ機器）２０との間で、画像情報（及び音声情報）をデジタル信号形式で送受信するためのＩＥＥＥ１３９４インターフェース１５を備えており、更に、ＣＰＵ７は、該ＩＥＥＥ１３９４インターフェース１５を介して外部機器（他のＡＶ機器）２０をコントロールすることが可能である。
【００４３】
即ち、ＣＰＵ７は、ＩＥＥＥ１３９４インターフェース１５と接続されているＩＥＥＥ１３９４バス上にある外部機器（他のＡＶ機器）２０に対して、電源のオン／オフ操作、更には、録画，停止，巻戻し，早送り，再生等の各種操作に関する制御命令を送信して、該外部機器２０の動作を制御することが可能である。換言すれば、フラッシュメモリ５に格納されているプログラムの動作に基づいて動作するＣＰＵ７は、外部機器２０に対する電源制御手段を備えているのみならず、外部機器２０に対する録画制御手段をも備えている。
【００４４】
ここに、出力端のＩＥＥＥ１３９４インターフェース１５との接続は、デマルチプレクサ（ＤＥＭＵＸ）３となされるものであり、ＯＳＤ表示装置９により、操作に関するＯＳＤ表示情報（案内画面）が重畳される前の放送番組の放送ストリーム（画像情報）を直接ＩＥＥＥ１３９４バスを介して外部機器２０に録画することができる。
【００４５】
また、図１に示すデジタルテレビ受信機１００において、放送番組の画像情報（及び音声情報）を録画する録画手段としては、ＭＰＥＧデコーダ４によりデコードされた放送番組の画像情報（及び音声情報）を、ＯＳＤ表示装置９を介して、モニタ装置１０上のテレビ画面に表示させると同時に、録画させることができる録画出力装置１１も内蔵されている。図１に示す構成においては、録画出力装置１１は、ＯＳＤ表示装置９において放送番組の画像情報（及び音声情報）に対して、操作に関するＯＳＤ表示情報（案内画面）が重畳された後の画像情報、即ち、モニタ装置１０上のテレビ画面に表示される画像情報と全く同様の画像情報が録画される場合を示している。
【００４６】
しかしながら、本発明に係る放送受信装置にあっては、かかる録画装置に関する構成のみに限定されるものではない。即ち、外付けの外部機器２０（録画・再生用のＡＶ機器）や内蔵の録画出力装置１１に対して、放送番組の画像情報（及び音声情報）を出力する出力位置が、図１に示す出力位置に限るものではなく、例えば、図１に示す場合とは逆に、外部機器２０には、モニタ装置１０上のテレビ画面に表示される画像情報と全く同じ画像情報、即ち、操作に関するＯＳＤ表示情報（案内画面）も含む放送番組の画像情報（及び音声情報）が入力される一方、内蔵の録画出力装置１１には、操作に関するＯＳＤ表示情報（案内画面）を含まない放送番組の画像情報が入力される場合であっても構わないし、あるいは、双方の録画装置共に、操作に関するＯＳＤ表示情報（案内画面）が重畳される前の放送番組の画像情報（及び音声情報）が入力されるようにしても構わない。
【００４７】
更には、放送番組が録画される録画装置としては、２個以上の複数の録画装置が内蔵及び／又は外部接続インターフェースに接続されている場合であっても良い。
前述したいずれの録画装置の構成であっても、録画装置の種別として、それぞれの録画装置が、操作に必要とするＯＳＤ表示情報（案内画面）を、放送番組の画像情報に重畳させた状態で録画する出力位置に配置されているか否かを識別することができる出力端子位置情報も含めて、録画装置識別情報５ａとして、予めフラッシュメモリ５の所定の領域に蓄積保存されている。
【００４８】
即ち、録画予約が登録されている状態（予約録画実行中状態又は予約録画準備中状態）において、利用者の操作に伴って、操作に必要とするＯＳＤ表示情報（案内画面）が放送番組の画像情報に重畳されて画面表示されるような操作がなされた際に、フラッシュメモリ５の録画装置識別情報５ａが参照されて、録画予約の登録がされている録画装置が、ＯＳＤ表示情報（案内画面）を重畳しない状態で放送番組の画像情報を録画することが可能な録画装置であるか否かが識別され、ＯＳＤ表示情報（案内画面）を重畳した状態で放送番組の画像情報を録画してしまう録画装置であれば、ＯＳＤ表示情報（案内画面）の画面表示を必要とする操作は一切抑止され、一方、ＯＳＤ表示情報（案内画面）を重畳しない状態で放送番組の画像情報を録画することが可能な録画装置であれば、ＯＳＤ表示情報（案内画面）の画面表示を必要とするような操作であっても許可するように制御されている。
【００４９】
図１に示すデジタルテレビ受信機１００においては、本発明を理解し易くするために、一方の録画装置（即ち、外部装置２０）がＯＳＤ表示情報（案内画面）を含まない状態で放送番組の画像情報（及び音声情報）を録画可能とし、他方の録画装置（即ち、録画出力装置１１）がＯＳＤ表示情報（案内画面）を含む放送番組の画像情報（及び音声情報）を録画してしまう場合を一例として示している。
【００５０】
また、図１に示すデジタルテレビ受信機１００においては、モニタ装置１０上のテレビ画面に、放送番組の画像情報に重畳させて、録画予約の操作に関するＯＳＤ表示情報（案内画面）、例えば、番組情報及びＥＰＧデータを表示するＯＳＤ表示情報（案内画面）を画面表示させて、利用者が対話的にリモコン１６等にある操作ボタンによる指示（例えば、放送番組の選択操作など）を与えることにより、該指示を受け付けたＣＰＵ７により処理が施された結果（例えば、放送番組が選択されている状態にあることを示す情報）を更にモニタ装置１０上のテレビ画面に案内画面として画面表示することによって、利用者がデジタルテレビ受信機１００に対して対話的に指示を与えることを実現している。而して、利用者がテレビジョン受信機１００に対して行なわんとしている録画予約設定に関連する操作を誤り無く正確に行なうことが可能であると共に、利用者が操作方法を予め熟知していない状態にあったとしても、所望の操作を容易に行なうことも可能であり、録画予約設定に関する操作性を向上させることができる。
【００５１】
例えば、放送番組に対する録画予約の設定に関しては、一般に、モニタ装置１０上のテレビ画面に画面表示されたＥＰＧ（電子番組表）データに基づいて対話的に行なわれ、画面表示されているＥＰＧデータの中から、利用者がリモコン１６の操作ボタンを操作して、録画すべき放送番組を対話的に選択指定することにより、指定された放送番組の放送開始時刻，放送終了時刻，放送チャンネル番号を録画予約情報６ｃとして自動的に抽出することができる。
【００５２】
更に、録画予約の登録がなされた場合にあっては、モニタ装置１０上のテレビ画面に引き続き画面表示される録画関連設定情報（例えば、録画予約された放送番組を録画する録画装置の指定や、録画速度等を示す録画モードの指定などに関する設定情報）の中から、利用者がリモコン１６の操作ボタンを操作して、所望の録画装置や録画速度を含む録画関連設定情報を対話的に選択指定することにより、録画予約対象として指定された放送番組に関する録画関連の各種設定情報を録画関連設定情報６ｄとして自動的に抽出することができる。
【００５３】
かかる対話的な選択操作により抽出された録画予約対象の放送番組に関する録画予約情報６ｃと録画関連設定情報６ｄとが、メモリ（ＤＲＡＭ）６上の所定の領域に蓄積保存される。しかる後において、ＣＰＵ７は、デジタルテレビ受信機１００の動作状態を、録画予約が登録された状態の予約録画準備中状態に移行させる。
【００５４】
即ち、フラッシュメモリ５に格納されているプログラムの動作に基づいて動作するＣＰＵ７は、前記画面表示手段を構成するＯＳＤ表示装置９により画面表示されたＯＳＤ表示情報（案内画面）に対して、対話的になされる利用者からの操作に基づいて指示された処理を実行する演算処理手段を提供しており、更には、該演算処理手段と前記画面表示手段とを用いて、録画装置（外部機器２０や録画出力装置１１）への放送番組の画像情報（及び音声情報）に関する録画予約の登録を行なうための録画予約登録手段をも提供している。
【００５５】
以下の説明においては、前記録画予約情報６ｃと前記録画関連設定情報６ｄとして放送番組の録画予約が登録された状態を、通常視聴状態に対して区別するために、放送番組の録画予約が登録された状態にはあるが、まだ、当該放送番組の放送開始時刻（録画開始時刻）に到達せず、録画動作が開始されていない状態、即ち、録画動作の開始までの時刻を計数するための制御がなされている状態のことを「予約録画準備中状態」（予約準備状態とも略す）と称し、放送番組の放送開始時刻（録画開始時刻）に到達して、録画予約が登録されている当該放送番組の録画動作が実行されている状態、即ち、録画の動作を実行しつつ、当該放送番組の放送終了時刻（録画終了時刻）の到来を監視する制御がなされている状態のことを「予約録画実行中状態」（予約実行状態とも略す）と称することとする。
【００５６】
なお、デジタルテレビ受信機１００のＣＰＵ７やメモリ（ＤＲＡＭ）６などを含む制御回路部に供給する電源がオフにされてしまう場合に備えて、ＣＰＵ７は、フラッシュメモリ５に格納されているプログラムの動作と相俟って、メモリ（ＤＲＡＭ）６上の所定の領域に蓄積保存された録画予約情報６ｃと録画関連設定情報６ｄとに関して、更に、場合によっては、番組情報６ａやＥＰＧデータ６ｂも含めて、揮発性のメモリ（ＤＲＡＭ）６から不揮発性メモリであるフラッシュメモリ５上に退避保持させることとしている。
而して、デジタルテレビ受信機１００のＣＰＵ７やメモリ（ＤＲＡＭ）６などを含む制御回路部に供給する電源がオフにされた以降において、該電源が再投入されてオン状態に復帰した場合には、フラッシュメモリ５上に退避保持されていた録画予約情報６ｃと録画関連設定情報６ｄとが、更に、場合によっては、番組情報６ａやＥＰＧデータ６ｂも含めて、メモリ（ＤＲＡＭ）６上の所定の領域に自動的に転送されて、元の状態に復旧させることが可能である。
【００５７】
従って、一旦、録画予約が登録された状態にされた以降においては、デジタルテレビ受信機１００の全ての電源がオン状態にある通常動作中の状態や、放送番組の画像・音声情報の処理を司る画像処理回路部のみの電源がオフ状態とされ、制御回路部に供給する電源はオンの状態にされている待機動作中の状態にある場合、あるいは、録画予約がなされている登録状態にある予約録画準備中状態や予約録画実行中状態にある場合であったとしても、制御回路部に供給する電源がオンの状態にされている限り、予約録画対象の放送番組に関する録画予約情報６ｃと録画関連設定情報６ｄとは、正しく、メモリ（ＤＲＡＭ）６上の所定の領域に蓄積保持され続ける。
【００５８】
未だ録画開始時刻である放送開始時刻には到達していない予約録画準備中状態にある場合、ＣＰＵ７は、フラッシュメモリ５に格納されているプログラムの動作と相俟って、メモリ（ＤＲＡＭ）６上の所定の領域に蓄積保存されている録画予約情報６ｃに含まれている放送開始時刻（録画開始時刻）と時刻計数装置１３から得られる現在時刻との比較照合動作が、定期的に（例えば、１秒間隔など）継続されて実施される。なお、複数の録画番組が録画予約の登録がなされている状態にある場合においては、当然のことながら、時刻計数装置１３から得られる現在時刻に最も近い放送開始時刻についてのみ比較照合動作を行なえば充分である。
【００５９】
ここで、録画予約情報６ｃに含まれている放送開始時刻と時刻計数装置１３から得られる現在時刻との比較照合結果として、現在時刻が放送開始時刻の直前（例えば、５秒前）に到達していることが検知された際、ＣＰＵ７は、フラッシュメモリ５に格納されているプログラムの動作と相俟って、まず、デジタルテレビ受信機１００が待機動作中の状態にある場合には、電源制御装置１２を制御することにより、放送番組の画像・音声情報の処理を司る画像処理回路部に対する電源の供給を開始させると共に、放送開始の直前にある放送番組の放送チャンネル情報を、メモリ（ＤＲＡＭ）６上の録画予約情報６ｃの中から抽出して、チューナ２に対して選局動作を指示する。
【００６０】
更に、メモリ（ＤＲＡＭ）６上の録画関連設定情報６ｄの中から、放送開始直前にある当該放送番組に関する録画関連設定情報６ｄが参照されて、当該放送番組を録画する録画装置を選択し、内蔵の録画出力装置１１とされている場合にあっては、電流制御装置１２を制御して、該録画出力装置１１の電源をオン状態にさせた後、録画関連設定情報６ｄに指定されている録画モードの設定が行なわれる。更に、録画装置識別情報５ａを参照することにより、該録画出力装置１１が、利用者の操作に応じて生成されるＯＳＤ表示情報（案内画面）をＯＳＤ表示装置９にて放送番組の画像情報に重畳させてモニタ装置１０上のテレビ画面に画面表示させる際に、操作に関する該ＯＳＤ表示情報（案内画面）が重畳された状態で放送番組の画像情報が録画されてしまう録画装置であることが識別される。而して、録画予約がなされている登録状態にある予約録画準備中状態や予約録画実行中状態にある場合における以降の動作として、操作に関するＯＳＤ表示情報（案内画面）を画面表示させるがごとき操作を一切禁止する旨の警告メッセージを画面表示した後、操作に関するＯＳＤ表示情報（案内画面）を、画面表示させるがごとき操作を一切禁止する状態に移行する。しかる後に、ＣＰＵ７は、デジタルテレビ受信機１００の動作状態を、予約録画準備中状態から指定された動作モードによる予約録画実行中状態に遷移させる。
【００６１】
一方、録画装置が外部機器（例えば、ビデオレコーダ）２０とされている場合にあっては、ＣＰＵ７は、該外部機器２０に対して、ＩＥＥＥ１３９４インターフェース１５を介して、電源投入の指示と当該放送番組に関する録画関連設定情報６ｄに指定されている動作モードとを送出し、当該外部機器２０の電源をオンに設定させる。而して、ＣＰＵ７は、デジタルテレビ受信機１００の動作状態を、予約録画準備中状態から指定された動作モードによる予約録画実行中状態に遷移させる。
【００６２】
また、録画装置識別情報５ａを参照することにより、該外部機器２０が、利用者の操作に応じて生成されるＯＳＤ表示情報（案内画面）をＯＳＤ表示装置９にて放送番組の画像情報に重畳させてモニタ装置１０上のテレビ画面に画面表示させる際に、操作に関する該ＯＳＤ表示情報（案内画面）が重畳されない状態で放送番組の画像情報を録画することができる録画装置であることが識別されるので、録画予約がなされている登録状態にある予約録画準備中状態や予約録画実行中状態にある場合における以降の動作であっても、操作に関するＯＳＤ表示情報（案内画面）を画面表示させるがごとき操作を禁止させる状態には移行させずに、かかる操作をも許可する状態を継続する。
【００６３】
しかる後において、録画予約情報６ｃに含まれている放送開始時刻と時刻計数装置１３から得られる現在時刻との比較照合結果として、現在時刻が放送開始時刻と一致したことが検知された場合には、ＣＰＵ７は、フラッシュメモリ５に格納されているプログラムの動作と相俟って、録画装置がＩＥＥＥ１３９４インターフェース１５に接続されている外部機器２０であれば、ＩＥＥＥ１３９４インターフェース１５を介して録画装置である外部機器２０に対して、メモリ（ＤＲＡＭ）６上の当該放送番組に関する録画関連設定情報６ｄに指定されている録画モードによる録画開始の指示を行なうことにより、外部機器２０の状態を停止状態（あるいは録画一時停止状態）から録画状態に切替えさせると共に、デマルチプレクサ（ＤＥＭＵＸ）３を制御して、デマルチプレクサ（ＤＥＭＵＸ）３から出力されてくる放送番組の画像・音声情報の放送ストリームを、ＩＥＥＥ１３９４インターフェース１５を介して外部機器２０に送出させる。而して、外部機器２０には、所望の放送番組が逐次録画されていくこととなる。
【００６４】
ここに、外部機器２０に対しては、前述のごとく、操作に必要とするＯＳＤ表示情報（案内画面）が重畳される前の放送番組の放送ストリーム（即ち、画像情報）がデマルチプレクサ（ＤＥＭＵＸ）３から直接送出されることとなるので、該ＯＳＤ表示情報（案内画面）が含まれない放送番組の画像情報（及び音声情報）が録画される。
一方、録画出力装置１１に録画する場合にあっては、操作に必要とするＯＳＤ表示情報（案内画面）が重畳された放送番組の画像情報（及び音声情報）が録画されてしまう。而して、録画出力装置１１に録画する場合において、放送番組の画像情報（及び音声情報）をそのまま録画せんとしている場合には、前述のごとく、操作に関するＯＳＤ表示情報（案内画面）を表示させるがごとき操作は一切抑止された状態に遷移させることが必要である。
【００６５】
なお、予約録画実行中状態に遷移した以降において、録画装置が１台しか備えられていない場合にあっては、たとえ、複数の放送番組に関する録画予約が登録されている場合であっても、予約録画開始の状態にある当該放送番組以外の放送番組に関する放送開始時刻と時刻計数装置１３から得られる現在時刻との比較照合動作は抑止され、その代わりに、予約録画開始の状態にある当該放送番組に関する放送終了時刻（録画終了時刻）と時刻計数装置１３から得られる現在時刻との比較照合動作のみが実行される状態となる。
【００６６】
一方、録画装置が複数台備えられている場合に、複数の放送番組に関する録画予約が登録されている場合には、予約録画実行中状態に遷移した放送番組の録画装置と異なる録画装置を、録画関連設定情報６ｄにて指定している放送番組に関しては、該放送番組の放送開始時刻と時刻計数装置１３から得られる現在時刻との比較照合動作と、予約録画実行中状態に遷移した放送番組の放送終了時刻と時刻計数装置１３から得られる現在時刻との比較照合動作との双方が同時に実行される。
【００６７】
予約録画実行中の状態においては、前述のごとく、予約録画実行中の状態にある放送番組に関する放送終了時刻と時刻計測装置１３から得られる現在時刻との比較照合動作が実行されている。即ち、ＣＰＵ７により、フラッシュメモリ５に格納されているプログラムの動作と相俟って、メモリ（ＤＲＡＭ）６上の所定の領域に蓄積保存されている録画予約情報６ｃに含まれている放送終了時刻と時刻計測装置１３から得られる現在時刻との比較照合動作が定期的に（例えば、１秒間隔など）継続されて実施される。
【００６８】
該比較照合動作の結果、放送終了時刻と現在時刻との一致が検知された場合には、録画をすべき放送番組が終了しているので、ＣＰＵ７は、フラッシュメモリ５に格納されているプログラムの動作と相俟って、録画装置が外部機器２０である場合は、ＩＥＥＥ１３９４インターフェース１５を介して録画装置である外部機器２０に対して、停止（録画停止）の指示と電源切断の指示とを行なうことにより、外部機器２０の状態を録画状態から停止状態（あるいは、場合によっては、録画一時停止状態）に切替えさせた後、電源をオフに設定させる。更に、デマルチプレクサ（ＤＥＭＵＸ）３を制御して、デマルチプレクサ（ＤＥＭＵＸ）３から出力されてくる放送番組の画像・音声情報の放送ストリームを、ＩＥＥＥ１３９４インターフェース１５を介して外部機器２０に送出させる動作を停止させる。
なお、かかる録画装置に対する録画動作の停止指示や電源オフの設定指示は、録画装置が内蔵の録画出力装置１１の場合であっても同様に、当該録画出力装置１１に対して実施される。
また、録画出力装置１１の場合は、更に、操作に関するＯＳＤ表示情報（案内画面）を画面表示させるような操作が一切禁止された状態が解除されて、かかる操作も許可された状態に復帰する。
【００６９】
而して、外部機器２０や録画出力装置１１は、所望の放送番組の録画が終了した状態とされることとなる。更に、録画動作を開始する前のデジタルテレビ受信機１００の電源状態が確認されて、放送番組の画像情報（及び音声情報）の処理を司る画像処理回路部への電源がオフ状態とされている待機動作中の状態に設定されていた場合にあっては、電源制御装置１２を制御して、放送番組の画像情報（及び音声情報）の処理を司る画像処理回路部への電源をオフの状態に復帰させる。
【００７０】
更に、ＣＰＵ７は、フラッシュメモリ５に格納されているプログラムの動作と相俟って、メモリ（ＤＲＡＭ）６上の録画予約情報６ｃ及び録画関連設定情報６ｄの中から、録画を終了した放送番組に関する予約情報（放送開始時刻，放送終了時刻などの予約録画動作用として登録されている情報）や録画関連設定情報（録画装置の指定情報や録画モードの指定情報などの設定情報）を消去すると共に、更新された状態にある新たな録画予約情報６ｃ及び録画関連設定情報６ｄをフラッシュメモリ５の退避領域に記憶保持させ直す。
【００７１】
しかる後に、録画予約情報６ｃに登録されている放送番組が更に存在している場合には、予約録画実行中の状態から予約録画準備中の状態に復帰し、メモリ（ＤＲＡＭ）６上の所定の領域に蓄積保存されている録画予約情報６ｃに含まれている放送開始時刻と時刻計測装置１３から得られる現在時刻との定期的な比較照合動作が再開される。
一方、録画予約情報６ｃに登録されている放送番組が存在していない場合には、予約録画実行中の状態から、録画予約が登録された状態以前（即ち、予約録画準備中の状態に遷移する以前）に設定されていた通常視聴中の状態又は待機動作中の状態に復帰する。
【００７２】
以上に説明したごとく、図１に示すデジタルテレビ受信機１００においては、放送番組に関する録画予約が登録される動作は、ＣＰＵ７が、フラッシュメモリ５に格納されているプログラムの動作と相俟って、制御することになるので、ＣＰＵ７は、デジタルテレビ受信機１００の現在の動作状態が、通常視聴状態にあるのか、あるいは、メモリ（ＤＲＡＭ）６上の録画予約情報６ｃに放送番組の録画予約が登録されたのみで、まだ録画動作が開始されていない予約録画準備中の状態にあるのか、あるいは、録画予約情報６ｃに登録されている放送番組の録画動作が実行中の状態にある予約録画実行中の状態にあるのかを直ちに識別することが可能である。
【００７３】
次に、ＯＳＤ表示装置９により放送番組の画像情報に重畳されてモニタ装置１０上のテレビ画面に画面表示されているＥＰＧデータや番組情報などを参照しながら、利用者が、リモコン１６等の操作ボタンを用いて、対話的に、放送番組の録画予約の登録操作をしたり、逆に、一旦録画予約登録がなされた放送番組の録画予約の登録取消操作をしたりする際のＯＳＤ表示画面、即ち、ＯＳＤ表示装置９により放送番組の画像情報に重畳されて画面表示される操作用ＯＳＤ表示情報（案内画面）の表示例について説明する。
【００７４】
ＯＳＤ表示情報（案内画面）に関する第１の実施例としては、ＣＰＵ７によって、デジタルテレビ受信機１００の現在の動作状態が識別された結果に応じて、リモコン１６等の操作ボタンの操作によって表示されるＯＳＤ表示情報（案内画面）が決定される一例を示すものである。即ち、予約録画準備中の状態又は予約録画実行中の状態にある場合においては、通常視聴状態とは異なる外観と操作内容とを含むＯＳＤ表示情報（案内画面）とすることにより、デジタルテレビ受信機１００の現在の動作状態を、利用者に確実に認識せしめると同時に、利用者による誤操作を未然に防止せしめる例を示すものである。
【００７５】
例えば、図２に示した外部機器２０即ち録画装置に対する操作画面であるＯＳＤ表示情報（案内画面）は、デジタルテレビ受信機１００のリモコン１６に設けられているｉ．ＬＩＮＫボタン１６ｃ（即ち、ｉ．ＬＩＮＫとも称されるＩＥＥＥ１３９４バスに接続された外部機器２０を操作するための操作画面を表示させる操作ボタン）の押下操作により、モニタ装置１０上のテレビ画面に画面表示されるＯＳＤ表示情報（案内画面）の一例を示す画面表示図である。
【００７６】
ここに、図２は、録画装置である外部機器２０に対する操作画面として、モニタ装置１０上のテレビ画面に画面表示されるＯＳＤ表示情報（案内画面）の一例を示す画面表示図であり、図２（Ａ）は、デジタルテレビ受信機１００の動作状態が通常視聴状態にある場合における外部機器２０に対する操作に関わるＯＳＤ表示情報（案内画面）の例を示し、図２（Ｂ）は、デジタルテレビ受信機１００の動作状態が予約録画準備中状態又は予約録画実行中状態にある場合における外部機器２０に対する操作に関わるＯＳＤ表示情報（案内画面）の例を示している。
【００７７】
図２（Ａ）に示す外部機器２０に対する操作画面は、デジタルテレビ受信機１００の動作状態が通常視聴状態にある場合であり、利用者は、外部機器２０に対して任意の操作を行なうことが可能なように、全てのボタン（電源，停止，録画，早戻し，再生，早送り，巻戻し，一時停止，巻送りの全てのボタン）が有効な状態とされて、放送番組の画像情報に重畳されて、モニタ装置１０上のテレビ画面にＯＳＤ表示される。
【００７８】
一方、デジタルテレビ受信機１００の動作状態が予約録画実行中状態（又は予約録画準備中状態）にある場合には、外部機器２０に対する操作画面としては、例えば、図２（Ｂ）に示すごとく、予約録画実行中状態にあることを示す「予約録画実行中」の表示と、録画動作の実行が終了する時刻である放送終了時刻０時５５分「〜０：５５」に至るまで、かかる予約録画実行中状態が継続することをステータスとして明示する。
【００７９】
更に、予約録画実行中状態においては、予約録画の実行を誤操作により無効にしないように、前述の全てのボタン（電源，停止，録画，早戻し，再生，早送り，巻戻し，一時停止，巻送りの全てのボタン）の操作が抑止された状態にあり、かつ、予約中止（即ち、実行中の録画動作の停止と録画予約の解除）を指示するための「予約中止」ボタン操作のみが有効とされている状態にあることを明示することにより、利用者には、かかるステータスの確認に基づいた限られた対話的な操作しか許可されない状態とされる。
【００８０】
即ち、通常視聴状態においては、当然、操作可能な電源のオン／オフ，録画の開始／停止，再生などの操作は、一旦、予約録画実行中状態に遷移して、予約録画動作の実行が開始された以降にあっては、一切操作することができない状態に移行して、予約録画実行中状態が終了するまでの期間においては、単に、録画装置に対して実行中の予約録画動作を中止させる操作のみを行なうことができる状態となり、もって、利用者が誤って予約録画の実行を無効にしてしまうことを防止することが可能とされている。
【００８１】
ここで、予約録画実行中状態において表示される「予約中止」ボタンは、通常視聴時には表示されないボタンであり、リモコン１６のカーソル移動ボタン１６ｅを操作して、該「予約中止」ボタン上にカーソルを移動して、決定ボタン１６ｄを押下操作することにより、利用者は予約録画動作の実行を中止させることが可能である。
【００８２】
なお、「予約中止」ボタン上にカーソルを合わせて、決定ボタン１６ｄの押下操作をして、録画予約を登録していた放送番組の録画予約状態を中止（解除）せんとした場合、かかる予約中止の操作を再確認するために、ＣＰＵ７は、フラッシュメモリ５に格納されているプログラムの動作と相俟って、例えば、図３に示すごとき案内画面（ダイアログ画面）を、ＯＳＤ表示情報（案内画面）としてモニタ装置１０上のテレビ画面に画面表示させることとしても良い。
ここに、図３は、予約録画実行中状態において予約中止の指示をした場合にモニタ装置１０上のテレビ画面に画面表示される案内画面の一例を示す画面表示図である。
【００８３】
即ち、図３に示すごとく、予約録画動作が実行中にある放送番組名「アニメ・まほろまてぃっく」に関して、「予約を中止することができる」旨の案内文と共に、「中止する」ボタンと「予約を続ける」ボタンとの双方の選択ボタンを含む案内画面を操作用のＯＳＤ表示情報（案内画面）として画面表示させることにより、実行中の当該予約録画動作を中止させる場合には、対話的に、利用者がリモコン１６のカーソル移動ボタン１６ｅを操作して、該「中止する」ボタン上にカーソルを移動して、決定ボタン１６ｄを押下操作することとし、利用者が再確認した通り、確実に予約録画動作を中止させることを可能にしている。
【００８４】
而して、予約録画動作に関する情報を提示して、利用者からの応答を得て、予約録画動作の中止指示を再確認することにより、利用者の誤操作を防止しつつ、中止を要求したい放送番組の予約録画動作を確実に中止させることが可能となる。
なお、利用者の誤操作防止を図るために、図３に示すごとき再確認用の案内画面をＯＳＤ表示情報（案内画面）として画面表示して、対話的に利用者からの応答を得る場面としては、かかる録画動作の予約中止を行なう場面のみに限るものではなく、利用者からの操作を再確認することが有効と考えられる場面について、全く同様に適用することとしても良い。
【００８５】
また、かかる「予約中止」ボタンは、予約録画実行中状態にある場合のみならず、予約録画準備中状態にある場合においても、例えば外部機器２０に対する操作画面を表示した場合に、一旦登録されていた録画予約を取り消すことを可能とするために、全く同様に画面表示される。即ち、予約録画準備中状態にある場合にあっても、前述の予約録画動作の中止を行なわせる場合と全く同様に、「予約中止」ボタンを画面表示させることにより、一旦、録画予約を登録していた放送番組の予約状態を解除させることができる。
【００８６】
即ち、当該デジタルテレビ受信機１００の動作状態が、予約録画実行中状態あるいは予約録画準備中状態にある場合と、録画予約登録がなされていない通常視聴状態にある場合とに応じて、前記画面表示手段を構成するＯＳＤ表示装置９にて生成されて画面表示されるＯＳＤ表示情報（案内画面）の表示内容が異なり、更に、予約録画実行中状態あるいは予約録画準備中状態においては、予め定められた限定された操作のみを許可するものであり、かかる限定された操作は、操作に関するＯＳＤ表示情報（案内画面）の画面表示に基づいて対話的になされることにより、利用者の誤操作に伴う予約録画の誤動作を確実に防止することを可能としている。
更には、利用者に許容される限定された前記操作としては、前述のごとく、予約録画実行中状態あるいは予約録画準備中状態を解除させて、録画予約の登録を中止させることができる「予約中止」ボタンを対話的に押下操作することができる操作も含まれている。
【００８７】
なお、予約録画動作を行なわんとしている録画装置が、録画出力装置１１である場合には、前述のごとき「予約中止」ボタンを含むＯＳＤ表示情報（案内画面）の画面表示が抑止されている状態にあるので、かかる場合にあっては、リモコン１６又は当該デジタルテレビ受信機１００本体上にある特定の操作ボタンの押下操作により、前記「予約中止」ボタンの押下操作と全く同様に、録画予約登録状態を解除し、録画予約の登録を中止させることができる。
以下に示す実施例の場合についても、特に説明しないが、予約録画動作を行なわんとしている録画装置が、録画出力装置１１である場合には、全く同様に、前記特定の操作ボタンの押下操作により、録画予約登録状態を解除し、録画予約の登録を中止させることができる。
【００８８】
次に、ＯＳＤ表示情報（案内画面）に関する第２の実施例として、受信した放送ストリーム中から抽出されてメモリ（ＤＲＡＭ）６に蓄積保存されている番組情報６ａがＯＳＤ表示情報（案内画面）としてモニタ装置１０上のテレビ画面に画面表示される場合の画面表示例について説明する。
番組情報６ａは、現在放送中の状態にある放送番組に関する各種の有効な付属情報を示すものであり、例えば、放送チャンネル名，放送番組タイトル名，放送開始時刻，放送終了時刻，放送形式（ハイビジョン，ステレオ等）などからなっている。かかる番組情報６ａは、前述のごとく、デマルチプレクサ（ＤＥＭＵＸ）３により、放送ストリームの中から抽出されて、メモリ（ＤＲＡＭ）６の所定の領域に蓄積保存されているものである。
【００８９】
利用者が、リモコン１６にある番組情報ボタン１６ａを押下操作すると、例えば、図４に示すごとき番組情報画面がＯＳＤ表示情報（案内画面）としてモニタ装置１０上のテレビ画面に画面表示される。
ここに、図４は、モニタ装置１０上のテレビ画面に画面表示される番組情報に関するＯＳＤ表示情報（案内画面）の一例を示す画面表示図であり、図４（Ａ）は、デジタルテレビ受信機１００の動作状態が通常視聴状態にある場合における番組情報に関するＯＳＤ表示情報（案内画面）の例を示し、図４（Ｂ）は、デジタルテレビ受信機１００の動作状態が予約録画実行中状態にある場合における番組情報に関するＯＳＤ表示情報（案内画面）の例を示している。
【００９０】
図４（Ａ）に示すごとく、通常視聴状態にある場合には、かかる番組情報として、現在放送中（視聴中）の放送番組が、放送チャンネル名「ＢＳ−ｉテレビ」の放送番組「アニメ・まほろまてぃっく」であり、放送時間帯が「午前０：３０〜午前０：５５」で、放送形式が「ハイビジョン　ステレオ」であることが表示されている。
一方、図４（Ｂ）のように、デジタルテレビ受信機１００の動作状態が予約録画実行中状態にある場合には、更に、前記図２（Ｂ）に示す場合と同様に、現在、予約録画動作を実行中であることを示す「予約録画実行中」の表示と、該予約録画動作を中止させることができる「予約中止」ボタンとが合わせて表示される。
而して、利用者は、図２（Ｂ）の場合と全く同様に、リモコン１６のカーソル移動ボタン１６ｅを用いて、画面表示されている「予約中止」ボタンにカーソルを移して、決定ボタン１６ｄを押下操作することによって、現在予約録画実行中の状態にある放送番組の録画動作の中止を指示することができる。
【００９１】
また、予約録画動作の実行中にある放送番組の録画動作を中止した際には、現在の予約録画実行中状態を解除し、他に録画予約の登録がなされていない場合には、通常視聴状態に遷移し、他の放送番組が録画予約の登録がされている場合には、予約録画準備中状態に遷移し、更に、録画の予約が登録される以前の動作状態の如何に応じて、予約録画動作を中止した該放送番組をモニタ装置１０上のテレビ画面に画面表示させて、そのまま視聴することが可能となるようにしても良いし、あるいは、予約録画動作を中止した該放送番組をモニタ装置１０上のテレビ画面にも表示させることなく、待機中の状態に遷移させることとしても良い。
【００９２】
なお、かかる「予約中止」ボタンは、予約録画実行中状態にある場合のみならず、予約録画準備中状態にある場合において、ＯＳＤ表示情報（案内画面）として番組情報を表示させた場合にあっても、一旦登録された録画予約を取り消すことを可能とするために表示される。
【００９３】
即ち、予約録画実行中状態あるいは予約録画準備中状態にある場合に、利用者に許容される限定された操作として、現在放送中の放送番組に関する付属情報を示す番組情報を案内画面として画面表示させる操作と、該番組情報内の情報に対する対話的な操作と、予約録画実行中状態あるいは予約録画準備中状態においてのみ前記番組情報に付加して表示される録画予約の登録中止用の操作ボタン「予約中止」ボタンを操作する対話的な操作とが含まれており、番組情報を表示するＯＳＤ表示情報（案内画面）を用いて、「予約中止」ボタンの押下操作を行なうことにより、録画予約の登録を対話的に中止させることが可能である。
【００９４】
次に、ＯＳＤ表示情報（案内画面）に関する第３の実施例として、受信した放送ストリーム中から抽出されてメモリ（ＤＲＡＭ）６に蓄積保存されているＥＰＧデータ６ｂがＯＳＤ表示情報（案内画面）としてモニタ装置１０上のテレビ画面に画面表示される場合における画面表示例について説明する。
ＥＰＧデータ６ｂは、現在視聴することができる放送番組のみならず、今後放送予定の放送番組に関しても、放送チャンネル名，放送日時・時間帯を含めて、一覧表示する電子番組表（ＥＰＧ：Ｅｌｅｃｔｒｏｎｉｃ　Ｐｒｏｇｒａｍ　Ｇｕｉｄｅ）であり、かかるＥＰＧデータ６ｂは、前述のごとく、デマルチプレクサ（ＤＥＭＵＸ）３により、放送ストリームの中から抽出されて、メモリ（ＤＲＡＭ）６の所定の領域に蓄積保存されているものである。
【００９５】
利用者が、リモコン１６にあるＥＰＧボタン１６ｂを押下操作すると、例えば、図５に示すごとき電子番組表（ＥＰＧ）画面がＯＳＤ表示情報（案内画面）としてモニタ装置１０上のテレビ画面に画面表示される。
ここに、図５は、モニタ装置１０上のテレビ画面に画面表示されるＥＰＧデータに関するＯＳＤ表示情報（案内画面）の一例を示す画面表示図であり、図５（Ａ）は、デジタルテレビ受信機１００の動作状態が通常視聴状態にある場合におけるＥＰＧデータに関するＯＳＤ表示情報（案内画面）の例を示し、図５（Ｂ）は、デジタルテレビ受信機１００の動作状態が予約録画実行中状態にある場合におけるＥＰＧデータに関するＯＳＤ表示情報（案内画面）の例を示している。
【００９６】
利用者は、モニタ装置１０上のテレビ画面に表示されたＥＰＧ（電子番組表）に対して、リモコン１６のカーソル移動ボタン１６ｅを操作することにより、放送チャンネル方向（即ち、図５の上下方向）にカーソルを移動することによって、例えば、現在視聴している放送番組以外の他の放送番組（裏番組）に関する情報を表示させることができ、また、放送時間帯方向（即ち、図５の左右方向）にカーソルを移動することによって、例えば、今後放送される予定の放送番組に関する情報を表示させることができる。
【００９７】
ここで、図５（Ｂ）に示す予約録画実行中状態にある場合のＥＰＧデータの表示例としては、図５（Ａ）に示す通常視聴状態とは異なる表示としている。即ち、現在予約録画の動作中にある放送番組を他の放送番組よりも強調した明点表示とし、一方、予約録画の動作中にはないその他の放送番組を暗点表示とすることにより、利用者が、現在の状況を直ちに視認し易いようにしている。なお、現在予約録画動作の実行中にある放送番組を強調するために、かかる明点表示を行なう以外に、背景セルの色表示を変更させるようにしても良い。更には、予約録画準備中の状態にある放送番組の表示を更に異なる表示とすることにより、該放送番組が既に録画予約されている登録状態にあることを明示させることとしても良い。
【００９８】
更に、図５（Ｂ）に示すごとく、予約録画実行中状態にある場合には、前記図２（Ｂ）に示す場合と同様に、現在、録画動作を実行中であることを示す「予約録画実行中」の表示と、該録画動作を中止させることができる「予約中止」ボタンとが合わせて表示される。
而して、利用者は、図２（Ｂ）の場合と全く同様に、リモコン１６のカーソル移動ボタン１６ｅを用いて、画面表示されている「予約中止」ボタンにカーソルを移して、決定ボタン１６ｄを押下操作することによって、現在予約録画動作の実行中の状態にある放送番組の録画動作の中止を指示することができる。
【００９９】
また、予約録画動作の実行中にある放送番組の録画動作を中止した際には、現在の予約録画実行中状態を解除し、他に録画予約の登録がなされていない場合には、通常視聴状態に遷移し、他の放送番組が録画予約の登録がされている場合には、予約録画準備中状態に遷移し、更に、録画の予約が登録される以前の動作状態の如何に応じて、予約録画動作を中止した該放送番組をモニタ装置１０上のテレビ画面に画面表示させて、そのまま視聴することが可能となるようにしても良いし、あるいは、予約録画動作を中止した該放送番組をモニタ装置１０上のテレビ画面にも表示させることなく、待機中の状態に遷移させることとしても良い。
【０１００】
また、図５（Ａ）又は図５（Ｂ）のＥＰＧ表示画面において、利用者が、リモコン１６の操作により、現在放送中の状態にある放送時間帯の放送番組のセルを選択した場合には、一般には、現在視聴中又は録画中の放送番組が、選択された放送番組に切り替わって、新たにモニタ装置１０上のテレビ画面に画面表示させる選局操作がなされることとなり、一方、今後放送予定の放送時間帯にある放送番組のセルを選択した場合には、選択された放送番組の録画予約設定操作がなされたこととなり、選択された放送番組の放送開始時刻，放送終了時刻，放送チャンネル番号等を録画予約情報６ｃとしてメモリ（ＤＲＡＭ）６上の所定の領域に蓄積保存させることとなる。
【０１０１】
但し、図５（Ｂ）に示すごとく、予約録画実行中状態あるいは予約録画準備中状態にある場合であって、現在、予約録画動作の実行中あるいは実行直前にある場合に、現在放送中の時間帯にある他の放送番組が選択される前記選局操作がなされた際には、現在予約録画動作の実行中（録画中）の状態であることを示す警告メッセージと共に、かかる選局操作を無効とするか、あるいは、現在実行中の予約録画動作を中止して、新たに選択されている放送番組をモニタ装置１０上のテレビ画面に画面表示させる選局動作を実行するかを対話的に尋ねる案内画面（ダイアログ画面）がモニタ装置１０上のテレビ画面に表示される。かかる案内画面に対して、利用者がリモコン装置１６を用いて対話的に選局動作の実行を指示している場合には、現在実行中の予約録画動作を中止して、新たに選局されている放送番組をモニタ装置１０上のテレビ画面に画面表示させるように動作する。
【０１０２】
一方、図５（Ｂ）に示すごとく、予約録画実行中状態あるいは予約録画準備中状態にある場合、更に、今後放送予定の放送時間帯にある放送番組の予約録画の設定操作がなされている場合にあっては、録画予約情報６ｃとしてメモリ（ＤＲＡＭ）６上に既に登録されている録画予約の放送番組の放送時間帯との重複関係の有無がチェックされて、重複関係にあることが検知された際には、既に録画予約登録済みの放送番組と放送時間帯に重複があることを示す警告メッセージと共に、かかる録画予約設定操作を無効とするか、あるいは、既に録画予約登録済みの放送番組の録画予約取消しを行なった後に、新たに選択されている放送番組の録画予約登録をし直すかを対話的に尋ねる案内画面（ダイアログ画面）がモニタ装置１０上のテレビ画面に画面表示される。かかる案内画面に対して、利用者がリモコン装置１６を用いて対話的に録画予約登録の実行を指示している場合には、現在登録済みの放送番組の録画予約を取り消して、新たに選択されている放送番組を録画予約させるように動作する。
【０１０３】
なお、前述のごとき録画予約登録を実行するか否かを対話的に尋ねる案内画面（ダイアログ画面）は、予約録画実行中状態にある場合のみならず、予約録画準備中状態にある場合において、今後放送予定の放送時間帯にある放送番組の録画予約設定操作がなされている場合にあっても全く同様に表示されるものである。また、「予約中止」ボタンについても、全く同様に、予約録画準備中状態にある場合にも、一旦登録された録画予約を取り消すことを可能とするために、表示させている。
【０１０４】
前述のごとく、予約録画実行中状態あるいは予約録画準備中状態にある場合に、利用者に許容される限定された操作として、放送番組の放送時間帯に関する情報を示す電子番組表（ＥＰＧ）を案内画面として画面表示させる操作と、該電子番組表（ＥＰＧ）内の情報に対する対話的な繰作と、予約録画実行中状態あるいは予約録画準備中状態においてのみ前記電子番組表（ＥＰＧ）に付加して表示される録画予約の登録中止用の操作ボタン「予約中止」ボタンを操作する対話的な操作とが含まれており、電子番組表（ＥＰＧ）を表示するＯＳＤ表示情報（案内画面）を用いて、「予約中止」ボタンの押下操作を行なうことにより、録画予約の登録を対話的に中止させることが可能である。
【０１０５】
次に、ＯＳＤ表示情報（案内画面）に関する第４の実施例として、放送番組を録画することができる録画装置を複数個備えている場合の録画予約動作について更に詳細に説明する。
例えば、図１に示すデジタルテレビ受信機１００においては、前述のごとく、録画装置として、ＩＥＥＥ１３９４インターフェース１５を介して接続されている外部機器２０以外に、デジタルテレビ受信機１００に内蔵されている録画出力装置１１が備えられている。該録画出力装置１１は、例えば、ＯＳＤ表示装置９に接続されており、デジタル信号として送信されてきた放送ストリームが、ＭＰＥＧデコーダ４によってアナログ信号形式にデコードされた後の放送番組の画像情報・音声情報を、ＯＳＤ表示装置９においてＯＳＤ表示情報（案内画面）と重畳させて画像合成させた画像情報が、アナログ信号形式として録画される録画装置であることを例示している。即ち、録画出力装置１１に録画される画像情報は、モニタ装置１０上のテレビ画面に画面表示される画像情報と全く同様の画像情報である。
【０１０６】
而して、図１に示すデジタルテレビ受信機１００においては、従来のアナログビデオレコーダと同様に、アナログ信号形式の放送信号の録画を行なう場合にあっては、録画出力装置１１が利用され、一方、デジタル形式の放送ストリームのまま録画を行なう場合にあっては、デマルチプレクサ（ＤＥＭＵＸ）３にて分離された放送ストリームを、そのまま、ＩＥＥＥ１３９４インターフェース１５を介してＩＥＥＥ１３９４バスに接続されているＤ−ＶＨＳなどの外部機器２０に送出するように構成されている。
【０１０７】
図１に示すような接続構成において、録画出力装置１１に録画する場合においては、リモコン１６の操作結果として、モニタ装置１０上のテレビ画面に放送番組の画像情報と重畳されて表示されるＯＳＤ表示情報（案内画面）も、そのまま録画の対象となってしまうのに対して、外部機器２０にて録画する場合には、デマルチプレクサ（ＤＥＭＵＸ）３から、録画用の放送ストリーム（画像情報）が、直接ＩＥＥＥ１３９４インターフェース１５を介して送出されるため、モニタ装置１０上のテレビ画面に放送番組の画像情報と重畳されて表示されるＯＳＤ表示情報（案内画面）が録画されるようなことはない。
【０１０８】
いずれの録画装置を用いて予約録画を行なうかは、前述のごとく、メモリ（ＤＲＡＭ）６の録画予約情報６ｃとして放送番組個々の録画予約の登録操作が行なわれる都度、それぞれの予約録画対象の放送番組に関する録画関連設定情報６ｄ（録画装置の指定など）も、合わせてメモリ（ＤＲＡＭ）６上の所定の領域に蓄積保存させることとしており、利用者が所望する録画装置を、予約録画対象の放送番組毎に指定することが可能である。
而して、ＣＰＵ７は、フラッシュメモリ５に格納されているプログラムの動作と相俟って、デジタルテレビ受信機１００の動作状態が予約録画実行中状態又は予約録画準備中状態に移行した際に、予約録画動作が開始されんとしている放送番組に対応してメモリ（ＤＲＡＭ）６に蓄積保存されている録画関連設定情報６ｄを参照することにより、当該放送番組を録画する録画装置を識別することができる。
【０１０９】
また、かくのごとく複数個の録画装置を備えている場合においては、デジタルテレビ受信機１００が予約録画準備中状態又は予約録画実行中状態にあって、図４（Ｂ）や図５（Ｂ）のごとく、番組情報やＥＰＧデータ（電子番組表）などをＯＳＤ表示情報（案内画面）として放送番組の画像情報に重畳させて画面表示させんとする利用者の操作がなされた際に、録画関連設定情報６ｄ及びフラッシュメモリ５の録画装置識別情報５ａに基づいて、現在、予約録画動作を開始せんとしている録画装置又は予約録画動作を実行中の録画装置の種別が自動的に識別され、利用者の操作に応じて生成されるＯＳＤ表示情報（案内画面）が重畳された状態の放送番組の画像情報が録画される録画装置であるか否かが自動的に識別されることにより、ＯＳＤ表示情報（案内画面）が生成されるごとき操作を利用者が行なうことを禁止するか否かを決定することができる。即ち、録画出力装置１１のように、利用者の操作に応じて生成されるＯＳＤ表示情報（案内画面）が重畳された状態の放送番組の画像情報が録画される録画装置である場合には、前述したごとく、ＯＳＤ表示情報（案内画面）が生成されるごとき操作を利用者が行なうことを一切禁止する状態に移行する。
【０１１０】
また、かかる予約録画準備中状態又は予約録画実行中状態におけるＯＳＤ表示情報（案内画面）としては、図４（Ｂ）や図５（Ｂ）には示していないが、更に、予約録画動作を開始せんとしている録画装置又は予約録画動作の実行中の録画装置を示す録画装置情報も、同時に画面表示するようにしており、利用者が、いずれの録画装置により予約録画が開始されようとしているか、又は、予約録画動作を実行中であるかを、直ちに認識することができる。
【０１１１】
前述のごとく、利用者は、現在予約録画に用いられている録画装置が、利用者の操作に伴ってモニタ装置１０上のテレビ画面に画面表示されるＯＳＤ表示情報（案内画面）と共に放送番組の画像情報（及び音声情報）を録画する録画装置であるか、あるいは、利用者の操作に伴って画面表示されるＯＳＤ表示情報（案内画面）がモニタ装置１０上のテレビ画面に画面表示されたとしても、放送番組の画像情報（及び音声情報）のみを録画する録画装置であるかを容易に識別することができる。
【０１１２】
即ち、ＣＰＵ７は、フラッシュメモリ５に格納されているプログラムの動作と相俟って、予約録画準備中状態又は予約録画実行中状態にある場合において、利用者の操作に応じてＯＳＤ表示情報（案内画面）をモニタ装置１０上のテレビ画面に画面表示をする動作に先立って、フラッシュメモリ５に予め登録されている録画装置識別情報５ａを参照することにより、現在、予約録画動作の実行中又は実行直前にある録画装置の種別を基にして、利用者の操作に応じてモニタ装置１０上のテレビ画面に画面表示されるＯＳＤ表示情報（案内画面）が放送番組の画像情報と共に録画されてしまうか否かを識別している。
【０１１３】
現在、予約録画動作の実行中又は実行直前にある録画装置が、ＯＳＤ表示情報（案内画面）が放送番組の画像情報と共に録画されてしまう録画装置である場合には、ＯＳＤ表示情報（案内画面）を用いた利用者の対話的な操作は予約録画動作の実行が終了するまで、一切禁止する制御が行なわれる旨の警告メッセージが、前述のごとく、予約録画動作の開始直前に、予め画面表示されており、しかる時点以降においては、予約録画動作の実行が終了するまで、ＯＳＤ表示情報（案内画面）の表示が一切禁止される状態とされている。逆に、ＯＳＤ表示情報（案内画面）が画面表示されたとしても、放送番組の画像情報（及び音声情報）のみが録画される録画装置であれば、ＯＳＤ表示情報（案内画面）を用いた利用者の対話的な繰作が可能な状態が継続する。
【０１１４】
なお、複数個の録画装置を備えている場合においても、図４（Ｂ）や図５（Ｂ）に示すごとく、通常視聴状態とは異なり、デジタルテレビ受信機１００が予約録画準備中状態又は予約録画実行中状態にある場合には、録画装置を示す録画装置情報と共に、「予約中止」ボタンがモニタ装置１０上のテレビ画面に画面表示される。かかる画面表示に対応して、利用者が対話的に該「予約中止」ボタンを押下操作した場合には、ＣＰＵ７は、フラッシュメモリ５に格納されているプログラムの動作と相俟って、複数個の録画装置の中から、予約録画の中止を指定された録画装置を正しく選択して、当該録画装置の予約録画動作を中止させることができる。
【０１１５】
【発明の効果】
以上に説明したごとく、本発明に係る放送受信装置によれば、当該放送受信装置が、放送番組の録画予約が登録されて、未だ予約録画動作を開始していない状態（即ち、予約録画準備中状態）のみならず、録画予約された放送番組の録画動作が実行されている状態（即ち、予約録画実行中状態）にあったとしても、当該放送受信装置本体上に備えられた操作ボタンやリモコン上の操作ボタン等の操作手段を用いて、当該放送受信装置に対する利用者の操作を行なうことが可能であり、当該放送受信装置の動作状態が通常の視聴状態にある場合と同様に、現在放送中の放送番組に関する番組情報（放送番組タイトル名や放送時間帯や放送形式などを含む付属情報）や、現在放送中の放送番組のみならず、今後放送予定の放送番組も含む放送番組表（即ち、ＥＰＧ情報）をモニタ装置上のテレビ画面に画面表示させることができる。もって、たとえ、予約録画準備中状態や予約録画実行中状態にあったとしても、録画予約の追加登録操作・録画予約の解除操作や現在録画中の放送番組に関する付属情報の表示を容易に実行させることができる。
【０１１６】
また、放送受信装置の動作状態が予約録画準備中状態あるいは予約録画実行中状態にあった場合には、当該放送受信装置に対する利用者の操作に対して、通常の視聴状態にある場合と異なり、操作対象が制限された状態に設定され、更には、モニタ装置上のテレビ画面に画面表示される案内画面に基づいて、対話的に操作を行なわせることを可能としているので、利用者の誤操作により既に登録済みの予約録画動作を無効にしてしまうがごとき事態を確実に防止することができる。
【０１１７】
更には、放送受信装置の動作状態が予約録画準備中状態にあった場合に、既に登録済みの放送番組の録画予約状態を、モニタ装置上のテレビ画面に画面表示される案内画面に基づいて、対話的に解除することも可能であり、更に、放送受信装置の動作状態が予約録画実行中状態にあって、たとえ、予約録画動作が実行中の状態にあったとしても、モニタ装置上のテレビ画面に画面表示される案内画面に基づいて、実行中の録画動作そのものを対話的に中止させることも可能であり、当該放送受信装置に対する操作の利便性及び柔軟性を向上させることができる。
【図面の簡単な説明】
【図１】本発明に係る放送受信装置の一例としてデジタルテレビ受信機の構成例を示す構成図である。
【図２】録画装置である外部機器に対する操作画面として、モニタ装置上のテレビ画面に画面表示されるＯＳＤ表示情報の一例を示す画面表示図である。
【図３】予約録画実行中状態において予約中止の指示をした場合にモニタ装置１０上のテレビ画面に画面表示される案内画面の一例を示す画面表示図である。
【図４】モニタ装置上のテレビ画面に画面表示される番組情報に関するＯＳＤ表示情報の一例を示す画面表示図である。
【図５】モニタ装置上のテレビ画面に画面表示されるＥＰＧデータに関するＯＳＤ表示情報の一例を示す画面表示図である。
【符号の説明】
１…アンテナ、２…チューナ、３…デマルチプレクサ（ＤＥＭＵＸ）、４…ＭＰＥＧデコーダ、５…フラッシュメモリ、５ａ…録画装置識別情報、６…メモリ（ＤＲＡＭ）、６ａ…番組情報、６ｂ…ＥＰＧデータ、６ｃ…録画予約情報、６ｄ…録画関連設定情報、７…ＣＰＵ、８…画像メモリ（ＶＲＡＭ）、９…ＯＳＤ表示装置、１０…モニタ装置、１１…録画出力装置、１２…電源制御装置、１３…時刻計数装置、１４…受光部、１５…ＩＥＥＥ１３９４インターフェース、１６…リモコン、１６ａ…番組情報ボタン、１６ｂ…ＥＰＧボタン、１６ｃ…ｉ．ＬＩＮＫボタン、１６ｄ…決定ボタン、１６ｅ…カーソル移動ボタン、２０…外部機器、１００…デジタルテレビ受信機。
【図１】
2004048495.tif 000003
【図２】
2004048495.tif 000004
【図３】
2004048495.tif 000005
【図４】
2004048495.tif 000006
【図５】
2004048495.tif 000007